(57)【特許請求の範囲】
【請求項１】
槽体の底面に設けた排水口を閉口する弁部材であって、
該弁部材には、排水口を覆う弁体が備えられると共に、
該弁体を、
係合部を備えた略平板状の弁体上部と、
上記係合部と係合する被係合部を備えた略平板状の弁体下部と、
から構成すると共に、
係合部と被係合部は、回転によって係合が行われる、回転ロック構造であって、
上記弁部材の弁体において、
弁体下部に、弁体下部を貫通する貫通孔を設け、
該貫通孔の内周面に、周縁に沿って貫通孔の一方のみからでは金型の抜脱が不可能な形状の嵌合部を設けたことを特徴とする、
ことを特徴とする、弁部材の弁体。
【請求項２】
上記弁部材の弁体において、
弁部材の弁体上部又は弁体下部のいずれか一方、又は両方に、非回転体形状部分からなる保持部を設けたことを特徴とする、請求項１に記載の弁部材の弁体。
【請求項３】
上記弁部材の弁体において、
弁部材の弁体上部又は弁体下部が、保持部以外の部分において、回転ロックの回転軸を中心とした、略回転体形状としたことを特徴とする、請求項２に記載の弁部材の弁体。
【請求項４】
上記回転ロック構造が、係合が完了した後は係合を解除できなくなる嵌め殺し構造であることを特徴とする、請求項１乃至請求項３のいずれか一つに記載の弁部材の弁体。
【発明の詳細な説明】
【技術分野】
【０００１】
本発明は、槽体の排水口を閉口する弁部材に関し、更に詳しくは、排水口を覆うことで排水口を閉口する弁部材の弁体に関するものである。
【背景技術】
【０００２】
従来より、浴槽や洗面ボウルなどの槽体の内部に生じた排水を処理するため、槽体の底面等に排水口を設け、この排水口から配管部材を介し、下水側に排水を排出する方法が広く知られている。
このような槽体において、槽体内に水を溜める場合に、弁部材を利用して排水口を開閉する方法が知られている。
弁部材の構成としては、単純に排水口の形状に合わせて全体をゴムの塊によって成形する方法もあるが、それ以外の方法として、ＡＢＳ樹脂やポリプロピレン等の硬質樹脂を利用して円盤状の弁体を成形する方法が知られている。
以下に、従来の弁部材について説明する。
特許文献１に記載の弁部材は、以下に記載する弁体から構成され、遠隔操作式排水栓装置を備えた排水口に接続される（この従来例では、弁部材は弁体のみから構成されるため、弁部材と弁体は同一である）。
弁体は、排水口を上方から覆うことで排水口を閉口する円盤状の部材であって、カバーである弁体上部と、弁体下部と、から構成される。
弁体上部は、平面視円形、側面視平坦に近い円弧を成す円盤状の部材であって、円盤の縁部に、中心方向に向かう爪部を複数備えてなる。
弁体下部は、略円盤状の部材であって、上面は上記弁体上部の内面にほぼ合致すると共に、円盤の縁部であって弁体上部の爪部に対応する位置にスリット部を、下面の中央に嵌合部を、その周囲に円筒状のガイド部を、それぞれ備えてなる。
上記のように構成された弁体の各部材は、弁体上部の爪部を、弁体下部のスリット部に嵌合させることで、弁体上部と弁体下部が嵌合接続された弁体として構成される。
【０００３】
段落０００２に記載された弁部材は、以下に記載された排水口に接続される。
排水口は、浴槽や洗面ボウルなどの槽体の底面に設けられた開口部分であって、排水配管を介して下水側の配管に接続され、槽体内の排水が、排水口と排水配管を介し、下水側に排出される。
また、この従来例の排水口には、排水口から離間した位置にある操作部への操作により、排水口を開閉する遠隔操作式排水栓装置が備えられてなる。
遠隔操作式排水栓装置は、排水口内に備えられた、その先端が弁体の嵌合部と嵌合する弁軸と、該弁軸を進退自在に収納する作動部と、該作動部を排水口内に支持する支持部材と、操作部の操作を弁軸に伝達するレリースワイヤからなる。
また、弁体の嵌合部を弁軸の先端に嵌合させることで、ガイド部の内周面に支持部材の外周面が当接した状態となって、上記のような排水口に対し、弁体が取り付けられる。
【０００４】
上記のように構成した弁部材と排水口において、遠隔操作式排水栓装置の操作部に操作を行うことで、排水口内の弁軸に対し、上昇、又は下降のいずれかの動作を選択することができる。
弁軸の先端に取り付けられている弁体（弁部材）は、弁軸が上昇した際は弁軸に伴って上昇し、排水口から離間して排水口を開口する。排水口が開口した場合、槽体内の吐水または排水は、排水口から排水配管を介して下水側に排出される。
また、弁軸が降下した際は弁軸に伴って弁体が降下し、排水口を覆うようにして閉口する。これにより、槽体内に吐水があった場合、その吐水を槽体内に溜めることができる。
このようにして、排水口や弁部材から離間したところにある操作部の操作体への操作により、排水口を遠隔操作的に開閉させることができる。
【０００５】
次のような理由から、特許文献１に記載の弁部材の弁体は、上下２つの部材から構成されてなる。
樹脂成型は、高温で溶融した状態の樹脂に高圧を加えて金型内に射出し、樹脂が冷えてから金型を開き、金型内から取り出すようにして行われる。
成形開始時に比べ、成形完了時の温度は低くなるため、成形完了時に成形品には素材の冷却による収縮が発生する。この収縮は、割合としては同じだけ収縮するが、成形品には厚みの違いがあるため、成形品は全体が同じ幅だけ収縮せず、各部の実際の収縮する幅は厚みの差によって変化する。
例えば凸形状の成形品を成形する場合に、金型上では、左右の部分の上下方向の厚みは１００ミリメートル、中央部分は２００ミリメートルとし、収縮率が１パーセントとすると、成形品では、左右の部分の上下方向の厚みは９９ミリメートルなのに対し、中央部分は１９８ミリメートルとなる。全体が同じ幅（例えば１ミリメートル）だけ小さくなれば、寸法はともかく形状的には金型上の形状が正確に再現できることになるが、上記のように、樹脂の肉厚の違いによって、ある場所では２ミリメートル、ある場所では１ミリメートルと収縮の幅が変化し、金型上の形状を正確に再現することは困難になる。このような成形品の肉厚の違いによって、金型上では存在していなかった窪みが成形品表面に生じた場合、生じた窪み部分を「ヒケ」という。
弁体を樹脂成型にて一体の部材として成形すると、弁体の下方部分に嵌合部等を構成する必要があることから、弁部材の上下方向には肉厚の違いが発生し、これによって弁体の上面にヒケが発生してしまう。弁体の上面は、槽体の使用者には特に目につく、意匠性が求められる部分であり、この部分にヒケが発生することで意匠性が悪化することは好ましくない。
そこで、弁体を弁体上部（カバー）と弁体下部とから構成し、弁体上部は肉厚を均一とすることでヒケの発生を防止することで、使用者の目につく部分、即ち弁体上部の上面の意匠性を良好なものとしている。
【先行技術文献】
【特許文献】
【０００６】
【特許文献１】特開２０１３−１１９７６９号
【発明の概要】
【発明が解決しようとする課題】
【０００７】
上記特許文献１に記載の弁部材では、ヒケに対して弁体の意匠性を良好なものとするため、弁体を弁体上部（カバー）と弁体下部とから構成し、これを爪部とスリット部の嵌合によって嵌合接続して一体の部材として使用している。
実際には、弁体を弁体上部と弁体下部の二つの部材から構成することは、弁体上面のヒケを無くし意匠性を高める場合の他にも、弁体に、弁体下方に対してアンダーカット構造を設ける場合でも採用される方法である。
ところで、弁体上部と弁体下部の嵌合接続の方向は、施工完了時、排水口を閉口した状態を基準とすると、上下方向である。
これに対し、弁体が排水口を開閉する場合に、弁体に加えられる応力の方向も、やはり排水口に対して上下方向である。このため、弁体を排水口の開閉のために上下動させると、弁体に加えられた応力や衝撃のために、爪部とスリット部の嵌合が解除され、弁体上部と弁体下部とが分離してしまう場合がある、という問題があった。
これは遠隔操作式排水栓装置に採用された弁部材の弁体に限らない。
排水口を閉口する場合には、遠隔操作式排水栓装置の場合でも、手に弁体を持って作業をする場合でも、排水口の上方に弁体を配置し、下方に移動させて排水口を閉口させる。また、排水口を開口する場合には、遠隔操作式排水栓装置の場合でも、手に弁体を持って作業をする場合でも、排水口に配置された弁体を、上方に移動させて排水口を開口させる。
このように、排水口を開閉させるため弁体に加えられる動作（応力）の方向は、遠隔操作式排水栓装置の有無に関係なく、弁体上部と弁体下部を嵌合接続させるための方向と同じであるため、弁部材の通常の使用において弁体が弁体上部と弁体下部とに分離してしまう、という問題があった。
本発明は上記問題点に鑑み発明されたものであって、弁部材の弁体において、弁体上部と弁体下部の接続を容易且つ確実に行える、弁部材の弁体を提供するものである。
【課題を解決するための手段】
【０００８】
請求項１に記載の本発明は、槽体の底面に設けた排水口を閉口する弁部材であって、該弁部材には、排水口を覆う弁体が備えられると共に、該弁体を、係合部を備えた略平板状の弁体上部と、上記係合部と係合する被係合部を備えた略平板状の弁体下部と、から構成すると共に、係合部と被係合部は、回転によって係合が行われる、回転ロック構造であって、上記弁部材の弁体において、弁体下部に、弁体下部を貫通する貫通孔を設け、該貫通孔の内周面に、周縁に沿って貫通孔の一方のみからでは金型の抜脱が不可能な形状の嵌合部を設けたことを特徴とする、ことを特徴とする、弁部材の弁体である。
尚、ここでいう「貫通孔の一方のみからでは金型の抜脱が不可能な嵌合部」について、「貫通孔の一方のみからでは金型の抜脱が不可能」とは、嵌合部が、樹脂成型にて弁体下部を成形する際、貫通孔内側の金型を、成形後そのまま下方に移動させて、または回転等一部金型を略水平方向などに動作させてから弁体下部から抜こうとしても、嵌合部の凹凸形状等が障害となって嵌合部よりも上方の部分の金型を下方に抜くことが不可能な形状を有することを指し示すものである。
【０００９】
請求項２に記載の本発明は、上記弁部材の弁体において、弁部材の弁体上部又は弁体下部のいずれか一方、又は両方に、非回転体形状部分からなる保持部を設けたことを特徴とする、段落０００８に記載の弁部材の弁体である。
尚、ここでいう「回転体形状」とは一つの断面形状を、任意の軸を中心に回転させた形状であり、「非回転体形状」とは上記回転体形状とは異なる形状の事を指し示すものである。部分的には回転体形状を有していても、全体のいずれかに回転体形状でない形状が含まれる場合は、その形状の全体は非回転体形状である（尚、回転体形状である部分がほとんどで、回転体形状でない部分がごくわずかな場合や、機能として回転体形状と変わらない場合は「略回転体形状」と記載する）。
【００１０】
請求項３に記載の本発明は、上記弁部材の弁体において、弁部材の弁体上部又は弁体下部が、保持部以外の部分において、回転ロックの回転軸を中心とした、略回転体形状としたことを特徴とする、段落０００９に記載の弁部材の弁体である。
【００１１】
請求項４に記載の本発明は上記弁部材の弁体において、上記回転ロック構造が、係合が完了した後は係合を解除できなくなる嵌め殺し構造であることを特徴とする、段落０００８乃至段落００１０のいずれか一つに記載の弁部材の弁体である。
【発明の効果】
【００１２】
請求項１に記載の本発明では、弁部材の弁体において、弁体を弁体上部と弁体下部から構成すると共に、弁体上部と弁体下部の嵌合接続を、回転によって係合が行われる、回転ロック構造とした。排水口を開閉させる際に、弁体を含む弁部材を排水口に対し上下方向に動作させても、弁体に加わる動作・応力の方向が上下の往復直線方向であるのに対し、弁体上部と弁体下部の嵌合接続の方向は回転方向であり、方向が明らかに異なる。更に、この弁部材が排水口に取り付けられて使用する場合に、弁体を含む弁部材の動作の方向は垂直方向であるのに対し、回転ロックの方向は水平面に平行な回転方向であり、回転ロックに対する応力の方向が９０度異なるため、弁体を含む弁部材が開閉のため上下動しても弁体上部と弁体下部の回転ロックを解除する方向に応力が作用せず、回転ロックが解除されることがなく、弁体上部と弁体下部が分離することがない。
又、弁体下部に貫通孔を設け、この貫通孔に貫通孔の一方のみからでは金型の抜脱が不可能な嵌合部を設けてなる。弁体を、弁体上部と弁体下部と、からではなく、一体成型にて構成した場合、この弁軸を嵌合させるための孔（当然ながら弁体の下方にのみ開口し、上方には開口していない）の内周縁に沿って設けられた嵌合部には、貫通孔の一方のみからでは金型の抜脱が不可能な形状が生じる場合がある。しかし、本発明では、弁体を弁体上部と弁体下部とから構成したことで、弁体下部の貫通孔に設けた、下方に対しては抜脱が不可能な形状となる部分を設けた嵌合部も、貫通孔の上方に対しては抜脱不可能な形状とはならない形状とすることで、貫通孔に対し、支障なく嵌合部を形成することができる。この嵌合部を利用することで、貫通孔に例えば弁軸を嵌合させて取り付けることが可能となる。
請求項２に記載の本発明では、弁体上部と弁体下部の回転ロックによる嵌合接続において、弁体上部又は弁体下部のいずれか一方、又は両方に保持部を設けたことで、回転ロックを行う際に、回転作業を容易に行うことができるようになった。この保持部の構成は、請求項３のように、保持部以外の部分が回転体形状の場合に特に効果的に機能する。
請求項４に記載の発明では、弁体上部と弁体下部の接続を嵌め殺し構造としたことで、接続後に弁体上部と弁体下部が分離することが無いようにすることができる。
【図面の簡単な説明】
【００１３】
【図１】第一実施例の弁体の断面図である。
【図２】第一実施例の弁体の部材構成を示す、上方からの斜視図である。
【図３】第一実施例の弁体の部材構成を示す、下方からの斜視図である。
【図４】弁体の組み立て手順を示す、図１のＡ−Ａ位置での断面図である。
【図５】弁体の組み立て手順を示す、図１のＡ−Ａ位置での断面図である。
【図６】弁体の組み立て手順を示す、図１のＡ−Ａ位置での断面図である。
【図７】第一実施例の弁部材を示す断面図である。
【図８】第一実施例の弁部材の、部材構成を示す断面図である。
【図９】第一実施例の弁部材を採用した排水配管を示す、一部を切り欠きした断面図である。
【図１０】他の実施例の弁体下部の、（ａ）下方からの斜視図、（ｂ）底面図である。
【図１１】他の実施例の弁体下部の、（ａ）下方からの斜視図、（ｂ）底面図である。
【図１２】他の実施例の弁体の部材構成を示す、下方からの斜視図である。
【発明を実施するための形態】
【００１４】
以下に、本発明の第一実施例について、図面を参照しつつ説明する。
図１乃至図９に示した、本発明の第一実施例の弁部材Ｂの弁体１は、以下に記載する各部材から構成され、遠隔操作式排水栓装置を備えた排水口Ｈに配置される。
本発明の第一実施例に記載の弁部材Ｂは、以下に記載する弁体１、弁軸２、ヘアキャッチャー３、から構成される。
弁体１は、排水口Ｈを上方から覆うことで排水口Ｈを閉口する円盤状の部材であって、以下に記載する、弁体上部６と、弁体下部８と、環状パッキング１１と、から構成される。
弁体上部６は、平面視円形、側面視平坦に近い円弧を成す円盤状の部材であって、全体としては、後述する上方筒部６ａの中心軸を中心とした略回転体形状を成す。「略」回転体形状とするのは、後述する係合部７及びマーカー部１０が回転体形状に合致しないためであるが、組み立て時、係合部７は弁体１の内部に配置されて触れることはできず、マーカー部１０は微小な窪みによって形成されるため、視認以上の効果・影響を生じることは無い。このため、重量バランスや意匠的な形状など、機能的には、弁体上部６は回転体形状と同様に扱うことができる。
また、弁体上部６の円盤の縁部近傍には、円盤の下面から円筒形状を成す上方筒部６ａを設け、また上方筒部６ａの内側面には周縁に沿って４か所、回転ロックを行う為の係合部７を備えてなる。
係合部７について詳述すると、係合部７は中心軸方向から見た場合に、図８のように、略Ｌ字形状を成すガイド部７ａと、該ガイド部７ａの下方に備えた、底面視三角形状を成す上部楔部７ｂからなる。
係合部７はアンダーカット形状を成している。つまり、弁体上部６の内側の金型を、成形後そのまま下方に移動させて弁体上部６から抜こうとすると、係合部７の上方の部分を抜くことができない形状となっている。しかし、図３等から明らかなように、上方筒部６ａの円周の内、ガイド部７ａを有する部分より、ガイド部７ａを有さない部分の円周の方が割合として多いため、弁体上部６の内側の金型を回転させ、ガイド部７ａ上方位置の金型部分を、ガイド部７ａが無い位置に回転移動させることで、弁体上部６の内側の金型を下方に引き抜くことができる。
弁体下部８は、略円盤状にしてその下方に略円柱形状を備えた部材であって、全体としては、後述する下方筒部８ａの中心軸を中心とした略回転体形状を成す。「略」回転体形状とするのは、後述する被係合部９、保持部４、及びマーカー部１０が回転体形状に合致しないためであるが、組み立て時、被係合部９は弁体１の内部に配置されて触れることはできず、マーカー部１０は微小な窪みによって形成されるため、視認以上の効果・影響を生じることは無い。また保持部４も弁体１の下方であって、中心軸に対して対称形状に設けられている。このため、重量バランスや意匠的な形状など、機能的には、弁体上部６は回転体形状と同様に扱うことができる。
また、弁体下部８の円盤部分の上面に、円筒形状を成す下方筒部８ａを備えてなる。
下方筒部８ａは、組み立て時、上方筒部６ａの内側面、正確にはガイド部７ａの側面に当接するように構成されてなり、上方筒部６ａ内に下方筒部８ａを挿入した状態で、下方筒部８ａ内側面に上方筒部６ａ外側面に沿わせて回転させることができる。
また、上方筒部６ａの外側面には周縁に沿って４か所、係合部７と係合する被係合部９を備えてなる。
被係合部９について詳述すると、被係合部９は、嵌合接続時に、係合部７のガイド部７ａの上方に位置して、側面の一方（回転ロックの際の回転が進む方向）及び下面に当接する、下方筒部８ａの周縁に沿って直線状のリブ片９ａと、リブ片９ａの下方に備えた、上部楔部７ｂと係合する、底面視三角形状を成す下部楔部９ｂからなる。
また、弁体下部８の円柱部分の中央には、後述する弁軸２が挿入される、上下に貫通した貫通孔５を設けると共に、貫通孔５の内周面に、周縁に沿って全周に嵌合部としての突条部５ａを備えてなる。
該突条部５ａは弁体下部８の下方に対してアンダーカット形状を成している。つまり、弁体下部８の貫通孔５内側の金型を、成形後そのまま下方に移動させて弁体下部８から抜こうとすると、突条部５ａ部の上方の部分を抜くことができない形状となっている。突条部５ａは全周に渡って形成されているため、係合部７の場合と異なり、金型を回転させてから下方に抜くことも不可能であるが、貫通孔５は弁体下部８の上方まで貫通しているため、弁体上部６の上方より、この突条部５ａの上面部分を取り出すようにすることで、問題なく金型を引き抜くことができる。
また、弁体下部８の円柱部分の下端には、弁体下部８の下方筒部８ａの中心軸を対称軸とし、円弧の一部を平面にて切り欠いた平坦面からなる保持部４を備えてなる。
また、弁体上部６、弁体下部８の各下面であって、周縁部分に０．２ミリメートル程度の深さの窪みによって三角形形状を表したマーカー部１０を備えてなる。該マーカー部１０は、弁体上部６と弁体下部８を接続嵌合させる際、マーカー部１０の三角形形状の頂点同士が対向する位置まで回転させると、回転ロックが完了する位置に設けられてなる。
環状パッキング１１は、弁体上部６の上方筒部６ａの外側面に配置される、リング状を成すパッキングであって、外側面に排水口Ｈの周縁と水密的に当接するヒレ部１１ａを備えてなる。
弁軸２は金属の棒状の部材であって、その上端には弁体１の貫通孔５に設けた突条部５ａと嵌合する凹溝部２ａを設け、またその側面にはヘアキャッチャー３が弁軸２の途中位置で止まるようにするためのストッパーを設けてなる。
ヘアキャッチャー３は、排水中の毛髪や塵芥等を捕集すると共に、弁体１及び弁軸２が上下動する際に傾くことを防止するガイドとしての機能を有した部材であって、その中心には穴が設けられ、この穴は弁軸２に貫通されて、弁軸２側面に対して摺動自在に動作するように構成されてなる。
外側のリングの外側面は、施工完了時排水口Ｈの内側面に当接する。
また上記弁部材Ｂの弁体１を組み立てる工具として、図示しないが、棒状体の端部にＵ字形状部分を設けたレンチ部材が利用される。レンチ部材のＵ字形状部分の平行部分の幅は、保持部４の平坦面同士の幅とほぼ同一で、若干だけＵ字形状部分の方が幅広である。
【００１５】
段落００１４に記載された弁部材Ｂは、以下に記載された排水口Ｈに接続される。
排水口Ｈは、浴槽や洗面ボウルなどの槽体の底面に設けられた開口部分であって、排水配管を介して下水側の配管に接続され、槽体内の排水が、排水口Ｈと排水配管を介し、下水側に排出される。
また、本実施例の排水口Ｈには、排水口Ｈから離間した位置にある操作部Ｓへの操作により、排水口Ｈを開閉する遠隔操作式排水栓装置が備えられてなる。
遠隔操作式排水栓装置は、排水口Ｈ内に備えられた、その先端が弁部材Ｂの弁軸２の下方位置に配置された支持軸Ｊと、該支持軸Ｊを進退自在に収納する作動部Ｍと、操作部Ｓの操作を支持軸Ｊに伝達するレリースワイヤＲからなる。
【００１６】
段落００１４のように構成された弁部材Ｂの各部材は、以下のようにして組み立てられ、段落００１５に記載した排水口Ｈに配置される。
最初に、次のような手順にて弁体１を組み立てる。
まず、弁体上部６の上方筒部６ａの外側面に、環状パッキング１１を配置する。
次に、弁体上部６と弁体下部８とを回転ロックによって嵌合接続する。
具体的には、弁体上部６の上方筒部６ａの内部に弁体下部８の下方筒部８ａを挿入し、上方筒部６ａの下端が弁体下部８に当接した状態で、弁体上部６を固定しつつ、弁体下部８を回転させる。この時には、レンチ部材のＵ字形状部分に、弁体下部８の保持部４を嵌めて回転させることで、容易に弁体下部８を弁体上部６に対して回転させることができる。
弁体上部６に対して弁体下部８を回転させると、回転ロックの係合によって、弁体上部６の係合部７が、弁体下部８の被係合部９に係合する。
回転ロックの係合によって、次の１．乃至４．の理由により弁体上部６に対し、弁体下部８は嵌合接続されて固定される。
１．上方筒部６ａの下端が弁体下部８の上面に当接し、弁体下部８が更に弁体上部６に対し上方へ移動しないように固定する。
２．被係合部９のリブ片９ａが、回転によって係合部７のガイド部７ａの水平方向部分の上方に移動してリブ片９ａの下面がガイド部７ａ上面に当接することで、弁体下部８が弁体上部６に対し下方へ移動しないように固定する。
３．被係合部９のリブ片９ａの一端（回転ロックの際に回転が進む方向側の端部）が、回転によって係合部７のガイド部７ａの垂直方向部分の側面に当接することで、弁体下部８が弁体上部６に対し回転が進む方向に移動しないように固定する。
４．上部楔部７ｂと下部楔部９ｂが係合することで、弁体下部８が弁体上部６に対し回転が戻る方向に移動しないように固定する。
この上部楔部７ｂと下部楔部９ｂの係合について、図４乃至図６に基づいて以下に詳述する。尚、図４乃至図６においては、環状パッキング１１は図示を省略してなる。
図４は、弁体上部６の上方筒部６ａに、弁体下部８の下方筒部８ａを挿入した状態での、図１のＡ−Ａ断面図である。
この図４の状態から、弁体上部６を固定し弁体下部８を図中左回りに回転させることで、図５のように弁体上部６の上部楔部７ｂの傾斜面が、弁体下部８の下部楔部９ｂの傾斜面に当接する。
更に回転を進めると、上部楔部７ｂの傾斜面が、弁体下部８の下部楔部９ｂの傾斜を乗り越え、図６のように上部楔部７ｂと下部楔部９ｂの端部同士が当接するようにして係合する。これによって、弁体下部８が弁体上部６に対し回転が戻る方向に移動しないように固定される。
尚、上記１．乃至４．の固定作業が完了したかどうかについて、係合部７及び被係合部９は共に弁体１内部にあるため、直接目視によって確認することはできないが、上部楔部７ｂが下部楔部９ｂを越えた際の音や感触と、弁体上部６及び弁体下部８に設けたマーカー部１０の三角形形状の頂点同士が対向する位置に移動していることを目視することで確認することができる。
上記弁体上部６と弁体下部８の回転ロックによる嵌合接続において、上部楔部７ｂと下部楔部９ｂの係合は、両楔部に弾性を発生させるためのスリットなどが無いために、極めて強力な係合となる。スリット等が無くとも回転ロックの際に上部楔部７ｂが下部楔部９ｂを超えて係合するのは、三角形形状の傾斜面をガイドとして移動する際に、上方筒部６ａ及び下方筒部８ａの全体が撓むことによるが、これはスリット等を設けることによって生じる弾性より硬い。このように、上部楔部７ｂを下部楔部９ｂに対して強引に越えさせるため、回転のためには強い応力が必要になる。このため、レンチ部材を保持部４に嵌めて回転させると強い応力を容易に作用させることが可能となり、作業が容易になる。また、係合後に回転を戻し方向（図４乃至図６において、弁体下部８を右回りに回転させる方向）に行うことは、傾斜面によるガイドの機能は生じないため事実上不可能である。結果、回転ロックによる嵌合接続を一旦行うと、弁体上部６と弁体下部８の回転ロックの嵌合接続を解除することが不可能になる。即ち、この弁体上部６と弁体下部８の回転ロックによる嵌合接続は、嵌合接続が完了した後は嵌合接続を解除できなくなる嵌め殺し構造である。
尚、弁体上部６と弁体下部８の回転ロックが完了すると、環状パッキング１１の上方は弁体上部６に、下方は弁体下部８に、それぞれ挟まれた状態になり（つまり弁体上部６と弁体下部８によって溝部分が生じる）、環状パッキング１１を意図して弾性変形させて弁体１より取り外さない限りは外れることが無いようになる。
このようにして本実施例の弁体１の組み立てが完了する。
次に、ヘアキャッチャー３に弁軸２を挿通させた上で、弁軸２を弁体１の貫通孔５に挿通し、弁体１の突条部５ａに弁軸２の凹溝部２ａを着脱自在に嵌合させて、図７のような弁部材Ｂの組み立てが完了する。
上記のようにして組み立てられた弁部材Ｂを排水口Ｈ内に配置する。この時は弁軸２の下端が、支持軸Ｊの上方に位置するように配置する。弁部材Ｂは、排水口Ｈ内に配置した時、ガイドとして機能するヘアキャッチャー３により容易に弁軸２が支持軸上に位置するように配置できる。
【００１７】
上記のように構成した弁部材Ｂと排水口Ｈにおいて、遠隔操作式排水栓装置の操作部に操作を行うことで、排水口Ｈ内の支持軸は上昇、又は下降のいずれかの動作を選択することができる。
支持軸Ｊが上昇すると、支持軸Ｊの先端に弁部材Ｂの弁軸２下端が当接し、弁軸２と弁部材Ｂが上昇することで、弁体１が排水口Ｈから離間して排水口Ｈを開口する。排水口Ｈが開口した場合、槽体内の吐水または排水は、排水口Ｈから排水配管Ｐを介して下水側に排出される。
また、支持軸Ｊが下降した際は支持軸Ｊに伴って弁体１と弁軸２も降下し、弁体１が排水口Ｈを覆うようにして閉口する。この時は、環状パッキング１１のヒレ部１１ａが排水口Ｈの上縁周縁に水密的に当接することで、水密的な接続を行うことができる。これにより、槽体内に吐水があった場合、その吐水を槽体内に溜めることができる。
このようにして、排水口Ｈや弁部材Ｂから離間したところにある操作部の操作体への操作により、排水口Ｈを遠隔操作的に開閉させることができる。
【００１８】
上記のように構成した弁部材Ｂの弁体１において、弁体上部６の上面に対しては、上方筒部６ａとしての肉厚部分があるものの、それ以外の部分では肉厚が一様であり、従来例に記載したヒケの構造は発生しにくく、意匠性を良好に保つことができる。
また、弁体下部８の貫通孔５には弁体下部８の下方に対しアンダーカット構造を有しているが、弁体下部８の上方が開放させているため、成形においては何ら問題にならない。
弁体１の動作の方向は、施工完了時、排水口Ｈを閉口した状態を基準とすると上下方向であるが、弁体１の弁体上部６と弁体下部８との嵌合接続は、排水口Ｈを閉口した状態を基準とすると回転ロックによる回転方向、つまり水平方向への移動であって、弁体１の動作の方向とは直角方向であり、回転ロックの解除の方向と動作の方向が異なるため、弁体１に開閉動作を加えても弁体上部６と弁体下部８の回転ロックが解除されることはない。特に本実施例では、弁体上部６と弁体下部８との嵌合接続は、上部楔部７ｂと下部楔部９ｂの係合を利用した嵌め殺し構造となっており、嵌合接続の解除が不可能となっているため、より確実に弁体上部６と弁体下部８の嵌合接続解除が行われることは無い構造となっている。
【００１９】
本発明の実施例は以上のようであるが、本発明は上記実施例に限定される物ではなく、主旨を変更しない範囲において自由に変更が可能である。
例えば、上記従来例では意匠性のため、また実施例では意匠性と弁体下部８の突条部５ａのアンダーカット形状解決のため、弁体１を弁体上部６と弁体下部８から構成しているが、弁体１を弁体上部６と弁体下部８から構成する理由は上記理由に限るものでは無く、弁体１内部に重りを配置するなどして重量調整を行う為や、弁体下部８と弁体上部６とで素材を変化させるためなど、弁体１を弁体上部６と弁体下部８から構成する理由について何ら限定をするものでは無い。
また、上記実施例では弁部材Ｂは弁体１、弁軸２、ヘアキャッチャー３から構成されているが、本発明は上記実施例に限定されるものでは無く、従来例のように、弁体１のみから弁部材Ｂを構成したり、または上記以外の部材を追加して構成しても構わない。
また、上記実施例では遠隔操作式排水栓装置を備えた排水口Ｈに弁体１を含む弁部材Ｂを配置する構成であるが、本発明の弁部材Ｂは、上記実施例に限定されるものでは無く、遠隔操作式排水栓装置を備えない、単に開口だけの排水口Ｈに用いても構わない。
このような遠隔操作式排水栓装置を備えない排水口Ｈに本発明の弁部材Ｂの弁体１を採用する場合、弁体１の上面に取付部を設けてチェーン体を接続し、このチェーン体を利用して弁体１を引き上げるようにして排水口Ｈから弁体１の取り外しを行うようにすると好適である。
また、保持部４を設ける部分としては弁体下部８に限るものでは無く、弁体上部６、例えば上記したチェーン体を取り付けるための取付部に保持部４を設けるように構成しても構わない。
また保持部４の形状についても何ら限定を設けるものでは無く、例えば上記実施例の略円柱形状上に設けた平行な二つの平坦面に替えて、図１０に示したように略円柱形状上に底面視正六角形の正多面体形状からなる面を設けて保持部４としたり、或いは略円柱形状のような突出箇所の側面ではなく、図１１に示したように、弁体下部８の下方に正多角形形状の窪み部分を形成してこの窪み部分を保持部４としても良い。
尚、図１０や図１１に図示した弁体下部８を採用した他の実施例において、弁体下部８の保持部４以外の構成は第一実施例と同様である。また組み立て方法や使用方法も、レンチ部材に替えてそれぞれの保持部４の形状に適した治具又は部材を用いる以外は、第一実施例と同様である。
また、図１２に示したように、保持部４を弁体下部８から無くし、代わりに弁体上部６の上方筒部６ａ側面に縦溝を複数設けて保持部４とし、この保持部４に歯合するようなレンチ部材を用いて弁体上部６ａを回転させるように構成しても良い。この場合、弁体下部８を固定して、弁体上部６を回転させることで回転ロックを行う。このため、弁体上部６と弁体下部８の回転ロックによる接続嵌合が完了した後に、環状パッキング１１を取り付ける必要がある。
尚、図１２に図示した弁体上部６及び弁体下部８を採用した他の実施例において、弁体下部６の保持部４である縦溝を設けたこと、及び弁体下部６から保持部４を省略したこと、以外の構成は第一実施例と同様である。また組み立て方法や使用方法も、レンチ部材に替えて保持部４の形状に適した治具又は部材を用いる以外は、第一実施例とほぼ同様である（弁体１の組み立てにおいて、弁体下部８を固定し、弁体上部６を回転させて回転ロックを行い、その後環状パッキング１１を取り付ける点は第一実施例と異なる）。
弁体上部６と弁体下部８を全て回転体形状として構成すると、回転の為強い応力を加える必要がある場合でも、部材を保持して回転させることが困難になる場合があるが、本発明のように非回転体形状部分からなる保持部４を弁体上部６又は弁体下部８に設けることで、弁体上部６と弁体下部８への回転を加えることが容易となり、回転ロックによる嵌合接続が容易且つ確実に行えるようになる。
また、上記実施例では、弁体１の貫通孔５には遠隔操作式排水栓装置の為の弁軸２を嵌合させてなるが、本発明は上記実施例に限定されるものでは無く、単にヘアキャッチャー３を弁体１に固定させるためだけの軸体や、槽体天面上に軸部を設けておき、弁体１の不使用時（排水口Ｈを閉塞しない時）に、軸部に接続して置き場とする等、様々な方法に利用することができる。
【符号の説明】
【００２０】
１      弁体                    ２      弁軸
２ａ    凹溝部                  ３      ヘアキャッチャー
４      保持部                  ５      貫通孔
５ａ    突条部                  ６      弁体上部
６ａ    上方筒部                ７      係合部
７ａ    ガイド部                ７ｂ    上部楔部
８      弁体下部                ８ａ    下方筒部
９      被係合部                ９ａ    リブ片
９ｂ    下部楔部                １０    マーカー部
１１    環状パッキング          １１ａ  ヒレ部
Ｂ      弁部材                  Ｈ      排水口
Ｊ      支持軸                  Ｍ      作動部
Ｐ      排水配管                Ｒ      レリースワイヤ
Ｓ      操作部
【図１】
0006752424.tif 000002
【図２】
0006752424.tif 000003
【図３】
0006752424.tif 000004
【図４】
0006752424.tif 000005
【図５】
0006752424.tif 000006
【図６】
0006752424.tif 000007
【図７】
0006752424.tif 000008
【図８】
0006752424.tif 000009
【図９】
0006752424.tif 000010
【図１０】
0006752424.tif 000011
【図１１】
0006752424.tif 000012
【図１２】
0006752424.tif 000013